(57)【特許請求の範囲】
【請求項１】
便器本体の四隅に基脚部を設け、該基脚部に脚部材を高さ調節可能に接続する構成において、該基脚部には縦に複数個のねじ取付孔を配設し、各ねじ取付孔の根端部にはナットが嵌着されてねじ孔部とされ、該ねじ孔部より外側部分はダボ嵌着部とされ、該脚部材には該基脚部のねじ取付孔に適合する位置に、ねじが貫通するねじ素孔と、該ねじ取付孔のダボ嵌着部に嵌着されるダボとを設けたことを特徴とする簡易便器の高さ調節構造。
【請求項２】
該基脚部には縦に４個以上のねじ取付孔が設けられ、該脚部材には上記基脚部のねじ取付孔のうち隣り合う３個のねじ取付孔のうちの上下２つのねじ取付孔に適合するねじ素孔と、中央のねじ取付孔に嵌着するダボとが設けられている請求項１に記載の簡易便器の高さ調節構造。
【請求項３】
該基脚部のねじ取付孔の外側部分のダボ嵌着部は該ねじ孔部よりも拡径され、該ダボ嵌着部には該ねじ取付孔に螺着されるねじよりも大径のダボが嵌着される請求項１または２に記載の簡易便器の高さ調節構造。
【請求項４】
該大径のダボにはねじが貫通するねじ素孔が設けられている請求項３に記載の簡易便器の高さ調節構造。
【請求項５】
前後の脚部の下端は基板で連結されている請求項１〜４のいずれか１項に記載の簡易便器の高さ調節構造。
【発明の詳細な説明】
【０００１】
【発明の属する技術分野】
本発明は特に木製の簡易便器の高さ調節構造に関するものである。
【０００２】
【従来の技術】
従来、木製の簡易便器(9) の高さ調節構造としては、例えば図１３および図１４に示すように便器本体(9A)の基脚部(93)に縦に複数個のねじ孔(93a) を設け、脚部材(9B)の脚部(95)に複数個のねじ素孔(95a) を設けて、脚部(95)の取付け位置を段階的に変えられるようにしたものが一般であった。
すなわち所望の高さになるように２個のねじ孔(93a,93a) と２個のねじ素孔(95a,95a) を選び合わせて、２本のねじ(96,96) で止着することによって高さが調節される。
【０００３】
この構造では脚部材(9B)は基脚部(93)に二点固定されるが、ねじ(96)とねじ素孔(95a) の間には遊びがあるため、脚部(95)にガタツキが生じ易い。
そこでその対策として基脚部(93)のねじ孔(93a) の側部にダボ孔(93b) を設け、脚部(95)には該ダボ孔(93b) に嵌着するダボ(95b) を設ける構造が提案されている。
【０００４】
【発明が解決しようとする課題】
しかし、かかる構造では、ダボ孔(93b) が余分に増えるので、加工穴数が増え、生産性が悪い。また、ダボ(95b) とダボ孔(93b) 、ねじ孔(93a) とねじ素孔(95a) の両方の位置決めが必要であり、加工工程も複雑になるという問題点があった。
【０００５】
【課題を解決するための手段】
本発明は上記従来の課題を解決するための手段として、便器本体(1A)の四隅に基脚部(23)を設け、該基脚部(23)に脚部材(1B)を高さ調節可能に接続する構成において、該基脚部(23)には縦に複数個のねじ取付孔(23a) を配設し、各ねじ取付孔(23a) の根端部にはナット(23b) が嵌着されてねじ孔部(23c) とされ、該ねじ孔部(23c) より外側部分はダボ嵌着部(23d,23d) とされ、該脚部材(1B)には該基脚部(23)のねじ取付孔(23a) に適合する位置に、ねじ(6) が貫通するねじ素孔(5a)と、該ねじ取付孔(23a) のダボ嵌着部(23d,23d) に嵌着されるダボ(5b)とを設けた簡易便器(1) の高さ調節構造を提供するものである。
該基脚部(23)には縦に４個以上のねじ取付孔(23a) が設けられ、該脚部材(1B)には上記基脚部(23)のねじ取付孔(23a) のうち隣り合う３個のねじ取付孔(23a) のうちの上下２つのねじ取付孔(23a) に適合するねじ素孔(5a)と、中央のねじ取付孔(23a) に嵌着するダボ(5b)とが設けられていることが望ましい。
また該基脚部(73)のねじ取付孔(73a) の外側部分のダボ嵌着部(73b,73b) は該ねじ孔部よりも拡径され、該ねじ取付孔(73a) に螺着されるねじ(76)よりも大径ｗ3 のダボ(75b) を嵌着するダボ嵌着部(73b) とされていることが望ましく、該大径ｗ3 のダボ(75b) にはねじ(76)が貫通するねじ素孔(75a) が設けられていることが望ましい。
さらに前後の脚部(75)の下端は基板(52)で連結されていることが望ましい。
【０００６】
【作用】
本発明ではダボ(5b,75b)はねじ取付孔(23a,73a) のダボ嵌着部(23d,73b) に嵌着される。すなわちねじ取付孔(23a,73a) がダボ孔を兼ねるので、ねじ取付孔(23a,73a) とは別にダボ孔を加工する必要がない。
したがって加工穴数を増加させず簡単に製造でき、かつダボ(5b,75b)をねじ取付孔(23a,73a) のダボ嵌着部(23d,73b) に嵌着するので脚部(5,75)のガタツキを抑えられる。
【０００７】
ダボ嵌着部(73b) をねじ取付孔(73a) よりも大径ｗ2 にすると、ダボ(75b) も大径ｗ3 にできる。したがって強度が高められてよりガタツキが少なくなり固定力が向上する。
該大径ｗ3 のダボ(75b) にねじ(76)が貫通するねじ素孔(75a) が設けられていると、ダボ(75b) とねじ素孔(75a) とを別の位置に設定するよりもコンパクトにでき、ねじ素孔(75a) および／またはダボ(75b) 間の距離を短くして、高さ調節範囲を大きくできる。
前後の脚部(75)の下端が基板(52)で連結されていると、脚部材(7B)の強度が高くなり、また脚部材(7B)を取り外したとき脚部材(7B)が自立できる。
【０００８】
【発明の実施の形態】
本発明を図１〜図６に示す一実施例によって説明する。
図１に示す簡易便器(1) は、椅子型の便器本体(1A)と、該便器本体(1A)を支持する左右一対の脚部材(1B,1B) とからなる。該簡易便器(1) は通常木製であるが、他の材質例えば合成樹脂等で製造されてもよい。
【０００９】
該便器本体(1A)は角箱形の座部(2) と、該座部(2) の後ろ側に取り付けられている背もたれ部(3) と、該座部(2) の両側部に取り付けられている肘掛け部(4,4) とからなり、該座部(2) 上面中央には開口部(21)が設けられ、該開口部(21)を囲んで便座(22)が載置されている。該開口部(21)からは便容器（図示しない）が懸架される。
【００１０】
該背もたれ部(3) は座部(2) の両側部後端から立設されている両側枠(31,31) と該両側枠(31,31) の上端に差し渡される背受け部(32)とからなり、該背受け部(32)の前面にはクッション部材(33)が取り付けられている。
【００１１】
該肘掛け部(4) は背もたれ部(3) の側枠(31,31) の中程から水平に差し出されている肘受け板(41)と該肘受け板(41)の前端付近から垂設される支柱(42)とからなり、該支柱(42)は座部(2) の側部に支持されている。
【００１２】
座部(2) の底部四隅からは基脚部(23,23,23,23) が垂下して設けられ、該基脚部(23)には例えば５個のねじ取付孔(23a,23a,23a,23a,23a) が縦一列に同一間隔をおいて配設されている。図２に示すように該ねじ取付孔(23a) の根端にはナット(23b) が埋め込み固定されてねじ孔部(23c) を形成しており、その外側部分はダボ嵌着部(23d) とされている。該ナット(23b) は通常の六角ナットを埋め込んで接着剤等により固定してもよいが、回転やヌケ防止の点からは爪付きナットや鬼目突起を有する打ち込みナットを使用することが望ましい。
【００１３】
脚部材(1B)は図３に示すように前後一対の脚部(5,5) と、該脚部(5,5) を連結する水平杆(51)とからなる。該脚部(5,5) には基脚部(23,23) のねじ取付孔(23a) に適合する位置に該ねじ取付孔(23a) に嵌着されるダボ(5b)が突設されており、該ダボ(5b)の上下にはやはりねじ取付孔(23a) に適合する位置に一対のねじ素孔(5a,5a) が設けられている。
【００１４】
該脚部材(1B)は便器本体(1A)の基脚部(23)に取り外しおよび高さ調節可能に接続されている。脚部材(1B)の基脚部(23)への取付け構造を説明すれば、図４に示すように該ダボ(5b)は基脚部(23)のねじ取付孔(23a) のダボ嵌着部(23d) に嵌挿されており、該ダボ(5b)の上下に設けられているねじ素孔(5a,5a) および該ねじ素孔(5a,5a) に対応するねじ取付孔(23a,23a) にはねじである固定ボルト(6) が貫通して、ねじ取付孔(23a) 根端のナット(23b,23b) のねじ孔部(23c,23c) に螺入締結している。
なお、脚部材(1B)は強度の点からはダボ(5b)の上下２箇所において締結することが望ましいが、１箇所だけで固定してもよい。このようにすると、ダボ(5b)を上端または下端のねじ取付孔(23a) のダボ嵌着部(23d) に嵌着できるので高さ調節範囲が大きくできる。
【００１５】
簡易便器(1) の高さを調節する場合は、まず片側の脚部材(1B)の脚部(5,5) に締結されている固定ボルト(6) を緩めて取り外す。このときダボ(5b)がねじ取付孔(23a) のダボ嵌着部(23d) に嵌着されているので、便器本体(1A)は基脚部(23)を介して該ダボ(5b)によりいまだ脚部材(1B)に支持されており、固定ボルト(6) を取り外したとたんに便器本体(1A)が落下したり傾いたりすることはない。したがって高さ調節作業を安全に行うことができる。
【００１６】
固定ボルト(6) を外し終えたら、該便器本体(1A)を手で支えながら図５および図６に示すように基脚部(23)のねじ取付孔(23a) からダボ(5b)を抜いて脚部材(1B)を取り外す。そして脚部材(1B)と基脚部(23)を所望の高さの対応する位置に調節し、ダボ(5b)をねじ取付孔(23a) のダボ嵌着部(23d) に嵌着する。そして該ダボ(5b)の上下のねじ素孔(5a)および該ねじ素孔(5a)に対応するねじ取付孔(23a) に固定ボルト(6) を挿入してねじ取付孔(23a) 根端のナット(23b) のねじ孔部(23c,23c) に螺入締結する。この際ダボ(5b)とねじ素孔(5a)はねじ取付孔(23a) に適合する位置に設けられているので、ダボ(5b)をねじ取付孔(23a) に嵌挿したとき、ねじ素孔(5a)とねじ取付孔(23a) の芯は合致する。したがって固定ボルト(6) は簡単に挿入できる。
【００１７】
同様にして反対側の脚部材(1B)を取り外し、他方の脚部材(1B)に対応する高さに調節してねじ取付孔(23a) にダボ(5b)を嵌挿し、ねじ素孔(5a)および対応するねじ取付孔(23a) に固定ボルト(6) を挿入してナット(23b) のねじ孔部(23c,23c) に螺入締結して脚部材(1B)を固定する。このようにして本実施例の簡易便器(1) は安全かつ簡単に高さ調節ができる。また脚部材(1B)取付け後はダボ(5b)により脚部(5) のガタツキが防止される。
【００１８】
図７〜図１２には本発明の他の実施例を示す。図７に示す簡易便器(7) は椅子型の便器本体(7A)と、該便器本体(7A)を取り外しおよび高さ調節可能に支持する左右一対の脚部材(7B,7B) とからなる。
本実施例の便器本体(7A)の基脚部(73)には例えば５個のねじ取付孔(73a,73a,73a,73a,73a) が縦一列に同一間隔をおいて配設されており、図８に示すように該ねじ取付孔(73a,73a,73a,73a,73a) 根端にはナット(74,74,74,74,74)が埋め込み固定されてねじ孔部(74a,74a,74a,74a,74a) とされており、さらに上側の４個のねじ取付孔(73a,73a,73a,73a) は脚部(75)との接合面側において該ねじ取付孔(73a,73a,73a,73a) の径ｗ1 より大きな径ｗ2 に拡径されてダボ嵌着部(73b,73b,73b,73b) とされている( ｗ1 ＜ｗ2)。
【００１９】
図９には本実施例の脚部材(7B)を示す。該脚部材(7B)は前後一対の脚部(75,75) と、該脚部(75,75) の下端を連結する基板(52)とからなる。
該脚部材(7B)の脚部(75)には基脚部(73)のねじ取付孔(73a) のダボ嵌着部(73b) の径ｗ2 と同一の径ｗ3 を有するダボ(75b) が突設され（ｗ2 ＝ｗ3 ）、さらに図１０に示すように該ダボ(75b) の中心部および該ダボ(75b) の下方にはねじ素孔(75a,75a) が設けられている。該ダボ(75)下方のねじ素孔(75a) の位置は基脚部(73)のねじ取付孔(73a) に適合する位置に設定されている。また該ねじ素孔(75a) の表面側は拡径されて固定ボルトである六角穴付きボルト(76)の頭部(76a) が嵌入する凹部(75c) とされている。
【００２０】
本実施例の脚部材(7B)の取付け構造を説明すれば、図１１に示すように該ダボ(75b) は基脚部(73)のねじ取付孔(73a) のダボ嵌着部(73b) に嵌着されており、該ダボ(75b) の中心部および該ダボ(75b) の下方に設けられているねじ素孔(75a,75a) とねじ取付孔(73a,73a) には固定ボルト(76)が貫通されて、ねじ取付孔(73a) 根端のナット(74)のねじ孔部(74a) に螺入締結されている。このとき、固定ボルト(76)の頭部(76a) は該凹部(75c) に嵌入して脚部(75)の表面から突出することがない。したがって脚部材(7B)を便器本体(7A)に取り付けたとき見栄えがよくなる。
【００２１】
本実施例の簡易便器(7) の高さを調節する場合は、各脚部(75)に締結されている固定ボルト(76)の締め付けを緩めて基脚部(73)から取り外す。このときダボ(75b) は基脚部(73)のねじ取付孔(73a) のダボ嵌着部(73b) に嵌着されているので、便器本体(7A)は基脚部(73)を介して該ダボ(75b) によりいまだ脚部材(7B)に支持されており、固定ボルト(76)を取り外したとたんに便器本体(7A)が落下することはない。したがって高さ調節作業が安全に行える。
【００２２】
次に図１２に示すように該便器本体(7A)を手で支えながら片側の基脚部(73)からダボを抜いて脚部材(7B)を取り外し、所望の高さに対応する位置のねじ取付孔(73a) のダボ嵌着部(73b) に該ダボ(75b) を嵌挿する。そして該ダボ(75b) の中心部および該ダボ(75b) の下方のねじ素孔(75a) とそれぞれに対応するねじ取付孔(73a,73a) とに固定ボルト(76)を挿入してねじ取付孔(73a) 根端のナット(74)のねじ孔部(74a) に螺入締結する。
本実施例の脚部材(7B)は脚部材(7B)を取り外したときに自立でき、高さ調節作業がより容易にできる。
【００２３】
同様にして反対側の脚部材(7B)を取り外し、他方の脚部材(7B)に対応する高さに調節して基脚部(73)のねじ取付孔(73a) のダボ嵌着部(73b) にダボ(75b) を嵌挿し、固定ボルト(76)を締結して脚部材(7B)を固定する。本実施例の簡易便器(7) はダボ(75b) が大径であるので強度が高く、より脚部(75)のガタツキが防止される。
【００２４】
本実施例において、基脚部のねじ取付孔は少なくとも２個以上拡径されればよく、またすべてのねじ取付孔が拡径されてもよい。
また一方のねじ素孔を必ずしもダボの中心に設ける必要はなく、一対のねじ素孔をダボの上方および／または下方に設けてもよい。
【００２５】
上記実施例は、本発明を限定するものではなく、例えば脚部は必ずしも水平杆で連結する必要はないが、脚部材の強度および脚部のガタツキ防止の点からは脚部は水平杆により連結されていることが望ましい。さらに所望であれば４脚を水平杆で連結してもよい。
【００２６】
【発明の効果】
本発明の簡易便器は、高さ調節可能でありかつダボによりガタツキが防止される。また加工穴数が少なく位置決めも容易で簡単に製造できる。
【図面の簡単な説明】
図１〜図６は本発明の一実施例を示すものである。
【図１】簡易便器斜視図
【図２】基脚部縦断面図
【図３】脚部材斜視図
【図４】脚部材取付け状態縦断面図
【図５】脚部材取り外し状態縦断面図
【図６】高さ調節状態説明斜視図
図７〜図１２は本発明の他の実施例を示すものである。
【図７】簡易便器斜視図
【図８】基脚部縦断面図
【図９】脚部材斜視図
【図１０】脚部材縦断面図
【図１１】脚部材取付け状態縦断面図
【図１２】高さ調節状態説明斜視図
図１３〜図１４は従来例を示すものである。
【図１３】簡易便器斜視図
【図１４】脚部材取付け状態縦断面図
【符号の説明】
1           簡易便器
1A          便器本体
1B          脚部材
23,73       基脚部
23a,73a     ねじ取付孔
23c,74a  ねじ孔部
5a,75a      ねじ素孔
5b,75b      ダボ
52          基板
6,76        ねじ
23d,73b     ダボ嵌着部
75          脚部
ｗ3         径
【図１】
0003837087.tif 000002
【図２】
0003837087.tif 000003
【図３】
0003837087.tif 000004
【図４】
0003837087.tif 000005
【図５】
0003837087.tif 000006
【図６】
0003837087.tif 000007
【図７】
0003837087.tif 000008
【図８】
0003837087.tif 000009
【図９】
0003837087.tif 000010
【図１０】
0003837087.tif 000011
【図１１】
0003837087.tif 000012
【図１２】
0003837087.tif 000013
【図１３】
0003837087.tif 000014
【図１４】
0003837087.tif 000015